(57)【特許請求の範囲】
【請求項１】
上枠に外障子の上框を案内する上枠外レールと、内障子の上框を案内する上枠内レールとを備えた引違いサッシの断熱構造であって、
前記上枠における前記上枠外レールと前記上枠内レールとの間であって前記内障子の閉塞位置側に、前記上枠内レールの外側面に対し一定間隔を空けつつ前記内障子の上框に摺接する断熱用気密材を当該上枠内レールに沿って設け、前記断熱用気密材と前記上枠内レールと前記内障子の上側面とによって囲まれた断熱用空間部を形成したことを特徴とする引違いサッシの断熱構造。
【請求項２】
請求項１記載の引違いサッシの断熱構造において、
前記上枠の下面側には、中間樹脂部材が設けられており、
前記断熱用気密材は、前記中間樹脂部材における前記上枠外レールと前記上枠内レールとの間に設けられていることを特徴とする引違いサッシの断熱構造。
【請求項３】
上枠に外障子の上框を案内する上枠外レールと、内障子の上框を案内する上枠内レールとを備えた引違いサッシの断熱構造であって、
前記上枠における前記上枠外レールと前記上枠内レールとの間であって内障子の閉塞位置側に、上枠内レールの外側面に対し一定間隔を空けつつ内障子の上框に摺接する断熱用気密材が当該上枠内レールに沿って設けられ、
前記断熱用気密材の先端部には、前記内障子の上框の外側面に向かって曲げられた傾斜摺接部が設けられており、その傾斜摺接部が前記内障子の上框の外側面に弾力的に摺接することを特徴とする引違いサッシの断熱構造。
【発明の詳細な説明】
【技術分野】
【０００１】
本発明は、外障子および内障子が引違いに移動して開閉する引違いサッシの断熱構造に関する。
【背景技術】
【０００２】
外障子および内障子が引違いに移動して開閉する引違いサッシの上側には、外障子の上框を案内する上枠外レールと、内障子の上框を案内する上枠内レールとが設けられている（例えば、特許文献１参照。）。
【先行技術文献】
【特許文献】
【０００３】
【特許文献１】特開２０００−１９９３７６号公報
【発明の概要】
【発明が解決しようとする課題】
【０００４】
ところで、外障子および内障子の閉塞時、引違いサッシの上枠内レールの内障子側は外気に接する面となるため、上枠内レールの内障子側において外気により冷やされた熱が上枠内レールの外障子側まで伝わる。
【０００５】
上枠内レールの外障子側は室内側に面しており、冬季等は暖房器具等によって屋外より屋内の方が温度および湿度が高くなるため、外障子および内障子を締め切った状態が長く続くと、上枠内レールの外障子側で結露が発生し、場合によっては結露した水滴（結露水）が部屋内に落下するおそれがあった。
【０００６】
そこで、本発明はこのような問題点に着目してなされたもので、上枠内レールの内障子側を外気により冷却され難くして、上枠内レール等における結露水の発生を低減することができる引違いサッシの断熱構造を提供することを目的とする。
【課題を解決するための手段】
【０００７】
前記課題を解決するため、本発明に係る引違いサッシの断熱構造は、上枠に外障子の上框を案内する上枠外レールと、内障子の上框を案内する上枠内レールとを備えた引違いサッシの断熱構造であって、前記上枠における前記上枠外レールと前記上枠内レールとの間であって前記内障子の閉塞位置側に、前記上枠内レールの外側面に対し一定間隔を空けつつ前記内障子の上框に摺接する断熱用気密材を当該上枠内レールに沿って設け、前記断熱用気密材と前記上枠内レールと前記内障子の上側面とによって囲まれた断熱用空間部を形成したことを特徴とする。
ここで、前記上枠の下面側には、中間樹脂部材が設けられており、前記断熱用気密材は、前記中間樹脂部材における前記上枠外レールと前記上枠内レールとの間に設けられているように構成しても良い。
また、本発明に係る引違いサッシの断熱構造は、上枠に外障子の上框を案内する上枠外レールと、内障子の上框を案内する上枠内レールとを備えた引違いサッシの断熱構造であって、前記上枠における前記上枠外レールと前記上枠内レールとの間であって内障子の閉塞位置側に、上枠内レールの外側面に対し一定間隔を空けつつ内障子の上框に摺接する断熱用気密材が当該上枠内レールに沿って設けられ、前記断熱用気密材の先端部には、前記内障子の上框の外側面に向かって曲げられた傾斜摺接部が設けられており、その傾斜摺接部が前記内障子の上框の外側面に弾力的に摺接するように構成しても良い。
【発明の効果】
【０００８】
本発明の引違いサッシの断熱構造では、上枠における上枠外レールと上枠内レールとの間であって内障子の閉塞位置側に上枠内レールの外側面に対し一定間隔を空けつつ内障子の上框に摺接する断熱用気密材を当該上枠内レールに沿って設けたため、上枠内レールの内障子側は、断熱用気密材および断熱用気密材との間の空気層を介して外気に触れることになる。
そのため、上枠内レールの内障子側が外気に直接触れることを防止できるため、上枠内レールの内障子側が外気により冷却され難くなり、上枠内レール等における結露水の発生を低減することができる。
【図面の簡単な説明】
【０００９】
【図１】引違いサッシの室内側（内観）を示す正面図である。
【図２】本発明に係る実施形態の引違いサッシの断熱構造を示す部分断面平面図である。
【図３】本発明に係る実施形態の引違いサッシの断熱構造（外観）を示す断面斜視図である。
【図４】本発明に係る実施形態の引違いサッシの断熱構造の特徴部分の断面構造を示す断面図である。
【図５】（ａ），（ｂ）それぞれ本発明に係る実施形態の引違いサッシの断熱構造の特徴的構成要素である断熱用気密材の斜視図、正面図である。
【発明を実施するための形態】
【００１０】
以下、本発明に係る実施形態の引違いサッシの断熱構造について、図面を参照して説明する。尚、以下に説明する実施の形態はあくまで本発明の一例であり、本発明が下記に説明する実施の形態に限定されるものではなく、本発明の技術的思想の範囲内で適宜変更可能である。
【００１１】
本発明に係る引違いサッシの断熱構造が適用される引違いサッシ１は、例えば、図１に示すように、上枠２、下枠３および左右の縦枠４，５により四周枠組みした枠体の中に外障子６と内障子７を引違いに納めたもので、閉塞時には室内側から見て左側に外障子６、右側に内障子７が位置するように構成されている。
【００１２】
外障子６および内障子７は、それぞれ、図１〜図３等に示すように、上框６１，７１と、戸先框６２，７２と、召合框６３，７３と、下框６４，７４との間に、二重ガラス６５ａ，６５ｂ，７５ａ，７５ｂを嵌めて構成されている。
【００１３】
外障子６および内障子７の上框６１，７１の上部には、それぞれ、後述する上枠外レール２１および上枠内レール２２を案内するためのレール案内溝部６１ａ，７１ａが設けられている一方、上框６１，７１の下部には、それぞれ、二重ガラス６５ａ，６５ｂ，７５ａ，７５ｂの上端部が収容されるガラス収容凹部６１ｂ，７１ｂが設けられている。
【００１４】
上枠２は、図４等に示すように、外障子６の上框６１を案内する上枠外レール２１と、内障子７の上框７１を案内する上枠内レール２２とを見込み方向（図４において紙面の横方向）に備えるもので、アルミ等の軽量金属部材を押出し加工や曲げ加工によって所定形状に形成した外側金属部材２ａおよび内側金属部材２ｂと、ポリ塩化ビニル樹脂（ＰＶＣ）等の合成樹脂部材を押出し加工等によって所定形状に形成した中間樹脂部材２ｃ、内側樹脂部材２ｄおよび中継樹脂部材２ｅ，２ｅ等とから構成され、これらの部材２ａ〜２ｅの両端部がそれぞれ左右の縦枠４，５の間を亘るように設けられている。尚、実施形態の説明において「外側」は室外側を示し、「内側」は室内側を示す。
【００１５】
つまり、図４等に示すように、外側金属部材２ａと内側金属部材２ｂとは、上側では対向するそれぞれの上側フランジ部２ａ１と上側フランジ部２ｂ１との間に中継樹脂部材２ｅ，２ｅを介在させて連結される一方、下側では対向するそれぞれの下側フランジ部２ａ２と下側フランジ部２ｂ２との間に中間樹脂部材２ｃと内側樹脂部材２ｄの一部を介在させて形成されている。
【００１６】
そして、上枠外レール２１は、外側金属部材２ａの下側フランジ部２ａ２と中間樹脂部材２ｃの下側フランジ部２ｃ１とが連結して形成されている一方、上枠内レール２２は、内側金属部材２ｂの下側フランジ部２ｂ２と内側樹脂部材２ｄの下側フランジ部２ｄ１とによって形成されている。
【００１７】
また、中間樹脂部材２ｃの上枠内レール２２側であって、少なくとも上枠の長手方向（図４において紙面の奥行き方向）における内障子７の閉塞位置側には、図４に示すように気密材取付用嵌合部２ｃ２に図４や図５（ａ），（ｂ）等に示すような形状の断熱用気密材８を嵌め付けて、上枠内レール２２の外側面と内障子７の上框７１との間に外気に直接当たらない断熱用空間部９を図２や図３に示すように縦枠５から召合框７３まで形成し、断熱用空間部９内に空気層を生成するように構成されている。
【００１８】
断熱用気密材８は、例えば、熱可塑性エラストマー（ＴＰＥ)やゴム等の軟質樹脂から形成されたもので、図５（ａ），（ｂ）に示すように所定幅で上枠内レール２２の長手方向に延びる天板部８ａと、天板部８ａの室外側端部に垂直に設けられ下方に延びる垂下部８ｂとから構成される。
【００１９】
断熱用気密材８の天板部８ａには、上枠２の気密材取付用嵌合部２ｃ２に嵌入される嵌入部８ａ１が設けられている。断熱用気密材８の垂下部８ｂは、下方、すなわち先端部に向かうに従って漸次その厚みが小になるように形成されており、先端部が内障子７の上框７１に向かって斜めに曲げられ、内障子７の上框７１の外側面７１ｃに弾力的に摺接する傾斜摺接部８ｂ１が設けられている。
【００２０】
従って、本実施形態の引違いサッシ１の断熱構造では、上枠２における上枠外レール２１と上枠内レール２２との間であって内障子７の閉塞位置側に上枠内レール２２の外側面に対し一定間隔を空けつつ内障子７の上框７１に摺接する断熱用気密材８を当該上枠内レール２２に沿って設けたため、上枠内レール２２の内障子７側は、直接外気に触れず、断熱用気密材８や、上枠内レール２２、内障子７の上側面７１ｄ等によって囲まれた断熱用空間部９内の空気層を介して外気に触れることになる。
【００２１】
そのため、上枠内レール２２の内障子７側（実施形態では内観右側）が外気に直接触れることを防止できるため、上枠内レール２２の内障子７側が外気により冷却され難くなり、上枠内レール２２の外障子６側（実施形態では内観左側）における結露水の発生を低減することができる。
【００２２】
特に、本実施形態の引違いサッシ１の断熱構造では、断熱用気密材８の垂下部８ｂの先端部に傾斜摺接部８ｂ１が設けられており、その傾斜摺接部８ｂ１の先端部が内障子７の上框７１の外側面７１ｃに弾力的に摺接する。
【００２３】
そのため、断熱用気密材８の垂下部８ｂの先端部が内障子７の上框７１の上側面に摺接させた場合には、内障子７が経年変化等によって内障子７の上框７１の高さが下がって断熱用気密材８の垂下部８ｂの先端部が内障子７の上框７１の上側面７１ｄとの間に隙間が空くと、気密性が確保できなくなる一方、戸車調整等によって内障子７の上框７１の高さが上がって断熱用気密材８の垂下部８ｂの先端部が内障子７の上框７１の上側面７１ｄに強く当接すると、異音等が発生したり、内障子７の開閉力に悪影響を与えるおそれがある。
【００２４】
これに対し、本実施形態では、傾斜摺接部８ｂ１の先端部が内障子７の上框７１の外側面７１ｃに摺接する構成によって、戸車調整等によって内障子７の上框７１の高さが多少変更された場合でも、内障子７の上框７１の外側面７１ｃに対する傾斜摺接部８ｂ１の先端部の接触位置（接触高さ）が変わるだけであり、隙間が空いたり、接触力が変化することはないので、気密性を確保できると共に、異音の発生や内障子７の開閉力に悪影響を与えることを防止することができる。
【００２５】
また、傾斜摺接部８ｂ１は、垂下部８ｂの先端部が内障子７の上框７１に向かって斜めに曲げられて形成されると共に、その先端部が内障子７の上框７１の外側面７１ｃに摺接するので、断熱用気密材８の垂下部８ｂの先端部が内障子７の上框７１の上側面に摺接する場合よりも、断熱用気密材８と上框７１の上側面７１ｄと上枠内レール２２の外側面等によって囲まれた断熱用空間部９の容積が増大することになる。
【００２６】
そのため、断熱用空間部９内の空気層の体積も増大するので、その分、上枠内レール２２の内障子７側が外気により冷却され難くなり、上枠内レール２２等における結露水の発生をより低減することができる。
【００２７】
また、断熱用気密材８は、熱可塑性エラストマー（ＴＰＥ)やゴム等の軟質樹脂から形成され、垂下部８ｂの傾斜摺接部８ｂ１が内障子７の上框７１の外側面７１ｃに弾力的に摺接しているので、傾斜摺接部８ｂ１と内障子７の上框７１との間の気密性を長期に亘り確実に確保することができる。
【符号の説明】
【００２８】
１  引違いサッシ
２  上枠
２ａ  外側金属部材
２ａ１  上側フランジ部
２ａ２  下側フランジ部
２ｂ  内側金属部材
２ｂ１  上側フランジ部
２ｂ２  下側フランジ部
２ｃ  中間樹脂部材
２ｃ１  下側フランジ部
２ｃ２  気密材取付用嵌合部
２ｄ  内側樹脂部材
２ｄ１  下側フランジ部
２ｅ  中継樹脂部材
２１  上枠外レール
２２  上枠内レール
３  下枠
４，５  縦枠
６  外障子
６１  上框
６１ａ  レール案内溝部
６１ｂ  ガラス収容凹部
６２  戸先框
６３  召合框
６４  下框
６５ａ，６５ｂ  ガラス
７  内障子
７１  上框
７１ａ  レール案内溝部
７１ｂ  ガラス収容凹部
７１ｃ  外側面
７１ｄ  上側面
７２  戸先框
７３  召合框
７４  下框
７５ａ，７５ｂ  ガラス
８  断熱用気密材
８ａ  天板部
８ｂ  垂下部
８ｂ１  傾斜摺接部
９  断熱用空間部
【図１】
0006711648.tif 000002
【図２】
0006711648.tif 000003
【図３】
0006711648.tif 000004
【図４】
0006711648.tif 000005
【図５】
0006711648.tif 000006